(57)【特許請求の範囲】
【請求項１】
記録媒体テープを一方の方向に走行させる状態を形成する一の位置と他方の方向に走行させる状態を形成する他の位置とこれら２つの位置の中間の中立位置との間を移動するＮＲスライダーと、
上記ＮＲスライダーの一の位置又は他の位置への移動によって記録及び／又は再生用のヘッドの記録及び／又は再生位置への移動と該位置へのロックを行う一対のヘッド移動及びロック手段とを備え、
上記ＮＲスライダーの一の位置への移動により一方のヘッド移動及びロック手段がヘッドを記録及び／又は再生位置へと移動させ、他方のヘッド移動及びロック手段がヘッドを記録及び／又は再生位置にロックし、上記ＮＲスライダーの他の位置への移動により他方のヘッド移動及びロック手段がヘッドを記録及び／又は再生位置へと移動させ、一方のヘッド移動及びロック手段がヘッドを記録及び／又は再生位置にロックし、
上記ＮＲスライダーが中立位置に移動することにより上記ヘッド移動及びロック手段がヘッドの記録及び／又は再生位置へのロックを解除する
ことを特徴とするテープカセット記録及び／又は再生装置。
【請求項２】
ヘッド移動及びロック手段が、ＮＲスライダーの一の位置又は他の位置への移動により回動する中継レバーと、該中継レバーの一の方向への回動により移動されてヘッドを記録及び／又は再生位置へと移動させるヘッド移動スライダーとから成る
ことを特徴とする請求項１に記載のテープカセット記録及び／又は再生装置。
【発明の詳細な説明】
【０００１】
【発明の属する技術分野】
本発明は新規なテープカセット記録及び／又は再生装置に関する。詳しくは、記録及び／又は再生用のヘッドの記録及び／又は再生位置への移動と該位置へのロックを確実に行う技術に関する。
【０００２】
【従来の技術】
テープカセット記録及び／又は再生装置において、記録及び／又は再生時には、記録及び／又は再生用のヘッドを記録及び／又は再生位置まで移動させ、且つ、該位置にロックする必要がある。
【０００３】
そして、従来のテープカセット記録及び／又は再生装置にあっては、フォワード走行時も、また、リバース走行時も同一のヘッド移動部材によってヘッドを移動させ、また、同一のロック部材によってヘッドをロックするようにしていた。
【０００４】
【発明が解決しようとする課題】
従来のテープカセット記録及び／又は再生装置におけるように、それぞれ逆方向へ走行しての記録及び／又は再生時に同一のヘッド移動部材や同一のロック部材によってヘッドを記録及び／又は再生位置へ移動し、また、該位置にロックするようにすると、ヘッドの停止位置が安定しなかったり、あるいはロックを解除することができなかったりと言うように、動作の確実性に問題があった。
【０００５】
そこで、本発明は、記録及び／又は再生用のヘッドの記録及び／又は再生位置への移動と該位置へのロックを確実に行うことができるようにすることを課題とする。
【０００６】
【課題を解決するための手段】
本発明テープカセット記録及び／又は再生装置は、上記した課題を解決するために、記録媒体テープを一方の方向に走行させる状態を形成する一の位置と他方の方向に走行させる状態を形成する他の位置とこれら２つの位置の中間の中立位置との間を移動するＮＲスライダーと、上記ＮＲスライダーの一の位置又は他の位置への移動によって記録及び／又は再生用のヘッドの記録及び／又は再生位置への移動と該位置へのロックを行う一対のヘッド移動及びロック手段とを備え、上記ＮＲスライダーの一の位置への移動により一方のヘッド移動及びロック手段がヘッドを記録及び／又は再生位置へと移動させ、他方のヘッド移動及びロック手段がヘッドを記録及び／又は再生位置にロックし、上記ＮＲスライダーの他の位置への移動により他方のヘッド移動及びロック手段がヘッドを記録及び／又は再生位置へと移動させ、一方のヘッド移動及びロック手段がヘッドを記録及び／又は再生位置にロックし、上記ＮＲスライダーが中立位置に移動することにより上記ヘッド移動及びロック手段がヘッドの記録及び／又は再生位置へのロックを解除するようにしたものである。
【０００７】
従って、本発明テープカセット記録及び／又は再生装置にあっては、記録媒体テープの走行方向に応じて、一対のヘッド移動及びロック手段のそれぞれが一方がヘッドを移動させるときは他方がヘッドをロックし、他方がヘッドを移動させるときは一方がヘッドをロックする、というように、交互に双方向の動作を行うので、ヘッドの移動とロックを確実に行うことができる。また、ＮＲスライダーが中立位置に移動することによりヘッド移動及びロック手段がヘッドの記録及び／又は再生位置へのロックを解除するようにしたので、中立状態を容易に作り出すことができる。
【０００８】
【発明の実施の形態】
以下に、本発明テープカセット記録及び／又は再生装置の実施の形態を図示した実施例に従って詳細に説明する。
【０００９】
尚、図示した実施例は本発明を携帯型のテーププレーヤー、即ち、再生専用機に適用したものである。
【００１０】
テーププレーヤー１はメカシャーシ２を備えている。
【００１１】
先ず、駆動系について説明する。
【００１２】
尚、本明細書において方向を示すときは、図４における紙面側を上、紙背側を下、右方を右、左方を左、下方を前、上方を後ろとして説明する。
【００１３】
メカシャーシ２の上面の前後方向におけるほぼ中央部で左右に離間した位置に２つのリール台３Ｆ、３Ｒが回転自在に支持されており、それぞれの基端部に設けられたギヤ部４Ｆ、４Ｒがメカシャーシ２の下面側に位置している。そして、リール台３Ｆのギヤ部４Ｆには互いに噛合している中継ギヤ５ａ、５ｂの一方５ｂが噛合しており、また、リール台４Ｒのギヤ部４Ｒには中継ギヤ６が噛合している。
【００１４】
中継ギヤ５ａと６との間の位置にはクラッチ部７が回転自在に支持されている。該クラッチ部７は主ギヤ８とマグネットギヤ９とから成る。主ギヤ８は磁性体から成る円板１０の周縁部に合成樹脂でアウトサート成形されたギヤ部１１が設けられて成り、マグネットギヤ９は全体がマグネットで形成され、主ギヤ８のギヤ部１１の上面側に内嵌される大きさの円形をしたクラッチ板１２と該クラッチ板１２の上面の中心部に突設されたギヤ部１３とが一体に形成されて成る。そして、主ギヤ８とマグネットギヤ９とは同軸に重ねられた状態でメカシャーシ２に回転自在に支持されている。
【００１５】
上記クラッチ部７と同軸に、且つ、クラッチ部７の上側にＮＲ切換レバー１４がメカシャーシ２の下面に回動自在に支持されている。ＮＲ切換レバー１４の前縁には台形状の切欠が形成されており、該切欠の左右両側縁には被押圧片１４Ｆ、１４Ｒが立設されている。また、ＮＲ切換レバー１４の後端部下面にＮＲ切換ギヤ１５が回転自在に支持されている。ＮＲ切換ギヤ１５は大ギヤ１５ａと小ギヤ１５ｂとが一体に形成されており、大ギヤ１５ａが上記クラッチ部７のマグネットギヤ９のギヤ部１３と噛合されている。
【００１６】
モータ１６がメカシャーシ２の下面の左端部で前後方向におけるほぼ中央の位置に固定されており、その下面に突出した回転軸にプーリ１６ａが固定されている。
【００１７】
メカシャーシ２の下面の左端部の前端部にテンションレバー１７が回動自在に支持されている。テンションレバー１７は後半部を為すセンタリング部１８と前半部を為すプーリ支持部１９とが一体に形成されており、センタリング部１８のほぼ中心部がメカシャーシ２に回転自在に支持されている。センタリング部１８の後端部と前端部とにそれぞれ突当部１８ａ、１８ｂが垂設され、また、その下端部に形成されたバネ掛け片１８ｃとメカシャーシ２との間に引張コイルバネ２０が張設され、これによって、テンションレバー１７に上方から見て時計回り方向への回動力が付勢されている。そして、プーリ支持部１９の下面側にはテンションプーリ２１が回転自在に支持されている。
【００１８】
メカシャーシ２下面の前端部の左右にそれぞれ寄った位置に周面にベルトを掛ける溝を有するフライホィール２２、２３が回転自在に支持されており、右側のフライホィール２３の上面にはギヤ部２４が一体に形成されている。そして、モータ１６のプーリ１６ａ、テンションプーリ２１、フライホィール２２、２３に駆動ベルト２５が架け渡されている。
【００１９】
駆動ギヤ２６が上記フライホィール２３とクラッチ部７との間でメカシャーシ２の下面に回転自在に支持されている。該駆動ギヤ２６は大ギヤ２６ａと小ギヤ２６ｂとが一体に形成されて成り、大ギヤ２６ａが上記フライホィール２３のギヤ部２４とクラッチ部７の主ギヤ８とに噛合されている。
【００２０】
しかして、モータ１６が駆動されると、駆動ベルト２５を介してフライホィール２３が回転し、そのギヤ部２４と噛合している駆動ギヤ２６及び駆動ギヤ２６と噛合しているクラッチ部７の主ギヤ８が回転し、その円板１０とマグネットギヤ９のクラッチ板１２との間に働く粘性によってマグネットギヤ９が回転し、更にマグネットギヤ９のギヤ部１１と噛合しているＮＲ切換ギヤ１５が回転することになる。
【００２１】
次に、ストップモード、ノーマル再生モード、リバース再生モード、ＡＭＳモード等の各モードを形成するためのモード形成系について説明する。
【００２２】
モード形成系の中心を為すのがカムギヤ２７である。
【００２３】
カムギヤ２７はメカシャーシ２の下面の右端寄りの部分の前後方向におけるほぼ中央部に回転自在に支持されている。カムギヤ２７の周縁部がギヤ部２８となっており、該ギヤ部２８には適宜の間隔を置いてギヤ歯が欠落した３つの欠歯部２９ａ、２９ｂ、２９ｃが形成されている。
【００２４】
カムギヤ２７の下面には周縁部に周壁３０が形成され、また、該周壁３０の内面から中心方向へ延び上方から見て反時計回り方向を向いた３つのストップ面３１ａ、３１ｂ、３１ｃが形成されている。ストップ面３１ａ、３１ｂ、３１ｃの中心側端は傾斜面によって上記外周壁３０の内面に続いている。ストップ面３１ａは上記欠歯部２９ｂからやや時計回り方向へ離間した位置に、ストップ面３１ｂは欠歯部２９ｃの時計回り方向側端に対応した位置に、ストップ面３１ｃは欠歯部２９ｂから反時計回り方向に僅かに離間した位置に、それぞれ形成されている。
【００２５】
カムギヤ２７の下面の中央部には上記周壁３０と同じ高さの突部３２が形成されており、該突部３２の外周面に時計回り方向に行くに従って外周に近づく戻し斜面３３ａ、３３ｂ、３３ｃが形成されている。そして、戻し斜面３３ａ、３３ｂ、３３ｃ以外の部分の外周面は周壁３０の内面、ストップ面３１ａ、３１ｂ、３１ｃ及びそれに続く傾斜面等から適宜な間隔を有している。戻し斜面３３ａはストップ面３１ａに続く傾斜面の終端に対応した位置に形成され、また、戻し斜面３３ｂはストップ面３１ｂと３１ｃとの間のほぼ中間の位置に対応した位置に形成され、戻し斜面３３ｃはストップ面３１ｃに続く傾斜面の終端に対応した位置に形成され、各戻し斜面３３ａ、３３ｂ、３３ｃの終端からは直ぐに中心方向へ戻っている。
【００２６】
尚、上記突部３２の外周面のうちストップ面３１ａに対向した位置に時計回り方向へ行くに従って中心側に変位する斜面として初期付勢面３２ａが形成されている。
【００２７】
カムギヤ２７の上面の周縁部に周壁３４が形成され、該周壁３４の欠歯部２９ｂにほぼ対応した位置には切欠部３４ａが形成されている。
【００２８】
周壁３４より内側には周壁３４と同じ高さの３つの突部３５ａ、３５ｂ、３５ｃが形成されている。
【００２９】
突部３５ａの中心側の面には、時計回り方向へ行くに従って中心側に変位していく引張面３６ａが、該引張面３６ａの時計回り方向側端に連続して時計回り方向へ行くに従って外周方向へ変位する第１の作用面３６ｂが、該第１の作用面３６ｂの時計回り方向側端に連続して時計回り方向へ行くに従って第１の作用面３６ｂより強い角度で外周方向へ変位する第２の作用面３６ｃが、それぞれ形成されている。突部３５ａの外周面３７は阻止面となっており、該阻止面３７の欠歯部２９ｂに対してやや時計回り方向へずれた位置に阻止面３７より中心側に変位した面である許容部３８が形成されている。
【００３０】
突部３５ｂの外周面には、時計回り方向へ行くに従って外周側に変位していく押出面３９ａが、該押出面３９ａの時計回り方向側端に連続して時計回り方向へ行くに従って中心側に変位する作用面３９ｂが、それぞれ形成されている。また、突部３５ｂの上面には阻止突起４０が立設され、該阻止突起４０の外周面４０ａが阻止面となっている。
【００３１】
突部３５ｃの外周面４１は阻止面となっている。
【００３２】
トリガーレバー４２がそのほぼ中間部でメカシャーシ２の下面のうちカムギヤ２７のやや後方の位置に回動自在に支持されている。トリガーレバー４２の回動支点４２ａより後方の部分とメカシャーシ２に切り起こし形成されたバネ掛け片４３との間に捩じりコイルバネ４４が架け渡され、これによって、トリガーレバー４２に上方から見て時計回り方向への回動力が付勢されている。尚、捩じりコイルバネ４４のコイル部はメカシャーシ２に切り起こし形成されたバネ支持片４５に外嵌状に支持されている。
【００３３】
トリガーレバー４２の前端部上面には作用突起４６が突設されており、該作用突起４６はカムギヤ２７の周壁３０と突部３２との間に位置している。また、トリガーレバー４２の後端寄りの部分の上面には押圧突起４７が突設され、また、前端寄りの右側縁４８は被押圧部とされている。
【００３４】
メカシャーシ２下面の右側部の後端寄りの位置にプランジャー４９が固定されており、該プランジャー４９の作用片４９ａは非励磁の時吸着され、励磁されると右方へ突出するようになっている。そして、上記トリガーレバー４２の後端部はプランジャー４９の作用片４９ａの右端部に回動自在に連結されている。
【００３５】
ほぼ左右方向に長いＦＲレバー５０がその中央から右側に寄った部分５０ａでメカシャーシ２の下面の上記トリガーレバー４２の回動支点４２ａよりやや左側に回動自在に支持されている。ＦＲレバー５０の回動支点５０ａよりやや左に寄った位置に形成されたバネ掛け片５１と上記バネ掛け片４３との間にコイル部がＦＲレバー５０のバネ掛け片５１の後方に形成されたバネ支持片５２に支持された捩じりコイルバネ５３が架け渡され、これによって、ＦＲレバー５０に反時計回り方向への回動力が付勢されている。
【００３６】
ＦＲレバー５０の右端部後縁部には略へ字状をした被押圧部５４が垂設されている。また、ＦＲレバー５０の右端縁には前後にやや間隔を置いて挟持片５５、５５が垂設されている。更に、ＦＲレバー５０の右端部の前端部には被制御突起５６が垂設されている。そして、該被制御突起５６は上記カムギヤ２７の上面の周縁寄りの部分と対向している。
【００３７】
ＦＲレバー５０の左端部には左右方向に長く中央部が後方へ膨らんだほぼ凸形の形状をした孔５７が形成され、後縁の該凸状孔５７の中央部に対応した位置には壁５８が垂設され、該壁５８の前面に楔状をした制御突起５８ａが形成され、また、前縁の凸状孔５７の中央部に対応した位置には前縁に開口した切欠５９が形成されている。
【００３８】
ＦＲ揺動レバー６０がＦＲレバー５０の左端部に支持されている。ＦＲ揺動レバー６０はやや前後方向に長く、その前端部に打ち出し状に係合突起６０ａが上方へ突設され、該係合突起６０ａがＦＲレバー５０の上記切欠５９に下方から前後方向に摺動自在に係合されている。ＦＲ揺動レバー６０の後端部に軸ピン６１が固定され、該軸ピン６１の頭部６１ａとＦＲ揺動レバー６０との間でＦＲレバー５０の凸状孔５７の開口縁を上下から挟むようになり、これによって、ＦＲ揺動レバー６０が凸状孔５７の範囲で上記係合突起６０ａと切欠５９との係合位置を揺動支点として左右に揺動し得るようにＦＲレバー５０に支持される。そして、上記軸ピン６１のＦＲ揺動レバー６０から下方へ突出した軸部６１ｂにＦＲギヤ６２が回転自在に支持される。
【００３９】
しかして、上記プランジャー４９が非励時の時で、かつ、ＦＲレバー５０の被制御突起５６がカムギヤ２７の上面側周壁３４の切欠部３４ａに位置している時は、ＦＲレバー５０は捩じりコイルバネ５３による回動力によって回動範囲の反時計回り方向側端に位置しており、この状態で、ＦＲギヤ６２はクラッチ部７の主ギヤ８のギヤ部１１と噛合し、これによって、ＦＲ揺動レバー６０はやや後方へ移動して軸ピン６１の頭部６１ａが凸状孔５７の後方へ膨らんだ部分に位置し、ＦＲギヤ６２はＦＲレバー５０の制御突起５８と係合している。
【００４０】
そこで、クラッチ部７の主ギヤ８が反時計回り方向に回転すると、これと噛合しているＦＲギヤ６２が時計回り方向への回転力を受け、ＦＲギヤ６２がＦＲレバー５０の制御突起５８と係合していることによりＦＲ揺動レバー６０が反時計回り方向へ回動してＦＲギヤ６２が中継ギヤ６ａと噛合し、該中継ギヤ６ａを反時計回り方向へ回転させる。これにより、リール台４Ｒが巻き戻し方向へ高速で回転される。逆に、主ギヤ８が時計回り方向に回転すると、ＦＲギヤ６２が反時計回り方向への回転力を受け、ＦＲ揺動レバー６０が時計回り方向へ回動してＦＲギヤ６２が中継ギヤ５ｂと噛合し、これによって、リール台４Ｆが早送り方向へ高速で回転される。
【００４１】
プランジャー４９が励磁されると、トリガーレバー４２が上方から見て時計回り方向へ回動され、それによって、トリガーレバー４２の押圧突起４７がＦＲレバー５０の被押圧部５４を右前方へ押圧し、これによってＦＲレバー５０は捩じりコイルバネ５３のバネ力に抗して時計回り方向へ回動する。これにより、ＦＲギヤ６２はクラッチ部７の主ギヤ８のギヤ部１１との噛合が解除される。そして、カムギヤ２７が反時計回り方向に回転して行くと、ＦＲレバー５０の被制御突起５６がカムギヤ２７の上面側の周壁３４の内周面と摺接し、これによって、ＦＲレバー５０は時計回り方向へ回動した状態に保持される。
【００４２】
左右方向に長いＮＲスライダー６３がメカシャーシ２の下面の前後方向における中央部に左右方向に摺動自在に支持されている。該ＮＲスライダー６３の左端部には前後に離間して２つの突当片６４ａ、６４ｂが垂設されており、前側の突当片６４ｂが後側の突当片６４ａよりやや左側に寄って位置している。そして、後側の突当片６４ａは上記テンションレバー１７の後側の突当部１８ａに右側から対向しており、前側の突当片６４ｂはテンションレバー１７の前側の突当部１８ｂに左側から対向している。そして、ＮＲスライダー６３に他に力が加えられていない状態において、テンションレバー１７のそれぞれの突当部１８ａ、１８ｂがＮＲスライダー６３の各突当片６４ａ、６４ｂにそれぞれ当接し、これによって、ＮＲスライダー６３は中立の状態に保持されている。
【００４３】
ＮＲスライダー６３の右端部には被制御突起６５が垂設されており、該被制御突起６５は上記カムギヤ２７の上面に対向して周壁３４の内側に位置している。ＮＲスライダー６３の後縁のほぼ中央部には後方へ台形状に突出した突部６６が形成されており、該突部６６の左右側縁から後縁の端部にかけて押圧片６６Ｆ、６６Ｒが立設されており、押圧片６６Ｆは上記ＮＲ切換レバー１４の左側の被押圧片１４Ｆに右側から対向し、押圧片６６Ｒは被押圧片１４Ｒに左側から対向している。また、ＮＲスライダー６３の下面のほぼ中央部で前縁寄りの位置に左右に離間して２つの押圧ピン６７ａ、６７ｂが垂設されている。
【００４４】
ヘッドベース６８がメカシャーシ２の下面で左右方向における中央部の前端部に前後方向に摺動自在に支持されている。ヘッドベース６８の前端部の左右両端部に上方へ向けて突設されたヘッド支持部６９、６９はメカシャーシ２に形成された挿通孔７０、７０を通してメカシャーシ２の上面側に突出され、該ヘッド支持部６９、６９にメカシャーシ２の上面側において磁気ヘッド７１が支持される。そして、ヘッドベース６８のほぼ中央部に垂設されたバネ掛け片６８ａとメカシャーシ２の前縁中央部に垂設されたバネ掛け片７２との間に引張コイルバネ７３が張設され、これによって、ヘッドベース６８には前方へ向けての移動力が付勢されている。
【００４５】
ヘッドベース６８の前端寄りの位置の右端寄りの位置にはＡＭＳ位置規制片７４が垂設されている。また、ヘッドベース６８の前後方向におけるほぼ中央部の左右両側縁には被押圧片７５ａ、７５ｂが垂設され、更に、後端寄りの左右両側縁には係合片７６ａ、７６ｂが垂設されている。
【００４６】
中継レバー７７Ｎ、７７Ｒがメカシャーシ２の下面でヘッドベース６８の後端部の両脇の位置で回動自在に支持されている。
【００４７】
中継レバー７７Ｎ、７７Ｒは、その回動支点部７７Ｎａ、７７Ｒａより後方へ突出した被押圧腕７８Ｎ、７８Ｒを有し、被押圧腕７８Ｎの後端部右側縁及び被押圧腕７８Ｒの後端部左側縁にはそれぞれ被押圧片７８Ｎａ、７８Ｒａが立設されている。また、中継レバー７７Ｎの回動支点部７７Ｎａのやや右寄りの位置及び中継レバー７７Ｒの回動支点部７７Ｒａのやや左寄りの位置から前方へ向けて係合腕７９Ｎ、７９Ｒが突設されており、該係合腕７９Ｎの前端部から左方へ突出した係合片７９Ｎａが、係合腕７９Ｒの前端部から右方へ突出した係合片７９Ｒａが、それぞれ形成されている。更に、中継レバー７７Ｎには右方へ突出した、また、中継レバー７７Ｒには左方へ突出した、押圧腕８０Ｎ、８０Ｒが形成され、これら押圧腕８０Ｎ、８０Ｒの先端部後縁から先端縁にかけての部分に押圧片８０Ｎａ、８０Ｒａが垂設されている。尚、上記係合腕７９Ｎ、７９Ｒはその基端部が側方から見てクランク状に折り曲げられ、該基端部から先の部分が中継レバー７７Ｎ、７７Ｒのその他の部分より下方にあるようにされ、そして、基端部の上下に延びる部分７９Ｎｂ、７９Ｒｂがバネ掛け部とされる。
【００４８】
メカシャーシ２の下面のうちヘッドベース６８及び中継レバー７７Ｎ、７７Ｒが配置された部分の左右両脇の位置にヘッド移動スライダー８１Ｎ、８１Ｒが前後方向に移動自在に支持されている。
【００４９】
ヘッド移動スライダー８１Ｎの後端部から左方へ突出した被押圧腕８２Ｎが、ヘッド移動スライダー８１Ｒの後端部から右方へ突出した被押圧腕８２Ｒがそれぞれ形成され、これら被押圧腕８２Ｎ、８２Ｒの先端部前縁には被押圧片８２Ｎａ、８２Ｒａが垂設されている。また、ヘッド移動スライダー８１Ｎの前端寄りの部分から左方へ突出した押圧腕８３Ｎが、ヘッド移動スライダー８１Ｒの前端寄りの部分から右方へ突出した押圧腕８３Ｒが、それぞれ形成されている。更に、ヘッド移動スライダー８１Ｎの前端部からピンチ押圧腕８４Ｎが右方へ突設され、ヘッド移動スライダー８１Ｒの前端部からピンチ押圧腕８４Ｒが左方へ突設され、各ピンチ押圧腕８４Ｎ、８４Ｒの先端にはピンチ押圧片８４Ｎａ、８４Ｒａが上方へ突設されている。そして、ピンチ押圧片８４Ｎａ、８４Ｒａはメカシャーシ２に形成された切抜孔８５、８５を通してメカシャーシ２の上面側に突出されている。更にまた、ヘッド移動スライダー８１Ｎ、８１Ｒのほぼ中央部にはバネ掛け片８６Ｎ、８６Ｒが垂設されている。
【００５０】
ねじりコイルバネ８７Ｎのコイル部がメカシャーシ２に切り起し形成されたバネ掛け片８８に支持され、その一方の腕８７Ｎａが上記中継レバー７７Ｎのバネ掛け部７９Ｎｂに右方から弾接し、他方の腕８７Ｎｂがヘッド移動スライダー８１Ｎのバネ掛け片８６Ｎに後方から弾接される。これによって、中継レバー７７Ｎには上方から見て時計回り方向への回動力が付勢され、ヘッド移動スライダー８１Ｎには前方へ向けての移動力が付勢される。
【００５１】
ねじりコイルバネ８７Ｒのコイル部がメカシャーシ２に垂設されたバネ掛けピン８９に支持され、その一方の腕８７Ｒａが上記中継レバー７７Ｒのバネ掛け部７９Ｒｂに左方から弾接し、他方の腕８７Ｒｂがヘッド移動スライダー８１Ｒのバネ掛け片８６Ｒに後方から弾接される。これによって、中継レバー７７Ｒには上方から見て反時計回り方向への回動力が付勢され、ヘッド移動スライダー８１Ｒには前方へ向けての移動力が付勢される。
【００５２】
メカシャーシ２の上面の前縁寄りの位置において、左右に離間してピンチアーム９０Ｎ、９０Ｒが回動自在に支持されている。ピンチアーム９０Ｎはその右端部が軸９１Ｎに回動自在に支持され、遊端である左端部にピンチローラ９２Ｎが回転自在に支持されている。そして、ピンチアーム９０Ｎにはコイル部が上記軸９１Ｎに支持された捩じりコイルバネ９３Ｎによって上方から見て反時計回り方向への回動力が付勢されている。また、捩じりコイルバネ９３Ｎの一方の腕９３Ｎａが上記ヘッド移動スライダー８１Ｎのピンチ押圧片８４Ｎａに上方へ開口するように形成された切欠８４Ｎｂに係合されている。また、ピンチアーム９０Ｒはその左端部が軸９１Ｒに回動自在に支持され、遊端である右端部にピンチローラ９２Ｒが回転自在に支持されている。そして、ピンチアーム９０Ｒにはコイル部が上記軸９１Ｒに支持された捩じりコイルバネ９３Ｒによって上方から見て時計回り方向への回動力が付勢されている。また、捩じりコイルバネ９３Ｒの一方の腕９３Ｒａが上記ヘッド移動スライダー８１Ｒのピンチ押圧片８４Ｒａに上方へ開口するように形成された切欠８４Ｒｂに係合されている。
【００５３】
尚、上記フライホィール２２、２３の中心にはキャプスタン９４Ｎ、９４Ｒが立設されており、該キャプスタン９４Ｎ、９４Ｒはメカシャーシ２の上面側に突出されている。
【００５４】
メカシャーシ２の下面のほぼ前端部右半分の部分にＡＭＳスライダー９５が左右方向に移動自在に支持されている。ＡＭＳスライダー９５は、上方から見てほぼクランク状をしており、その左端寄りの部分と右端寄りの部分とに左右に長い被案内孔９６ａ、９６ｂが形成されており、メカシャーシ２に垂設された案内片９７ａ、９７ｂに上記被案内孔９６ａ、９６ｂが摺動自在に係合され、これによって、ＡＭＳスライダー９５が被案内孔９６ａによって規定される範囲で左右方向に摺動自在にメカシャーシ２に支持される。また、右側の被案内孔９６ｂの方が左側の被案内孔９６ａより長く形成されており、ＡＭＳスライダー９５が移動範囲の左端まで移動した状態、即ち、被案内孔９６ａの右端縁が案内片９７ａに当接した状態で、右側の被案内孔９６ｂは案内片９７ｂの右側に余裕が有り、該右側の余裕部分９６ｂ′が連結部となる。
【００５５】
ＡＭＳスライダー９５の左端部後縁はやや後方へ突出され、該突出した部分の後縁９８が位置規制縁とされる。また、ＡＭＳスライダー９５の右端部にはバネ掛け片９９が垂設されている。そして、捩じりコイルバネ１００の一方の腕１００ａがバネ掛け片９９に右方から弾接され、これによって、ＡＭＳスライダー９５には左方へ向けての移動力が付勢されている。
【００５６】
次に、上記したモード形成系による各モードの形成について説明する。
【００５７】
図９に示す状態がストップモードである。
【００５８】
ストップモードにおいて、プランジャー４９は非励磁の状態であり、その作用片４９ａはプランジャー４９内に引き込まれた状態であり、従ってトリガーレバー４２の作用突起４６はカムギヤ２７のストップ面３１ａと係合してカムギヤ２７の回転を停止せしめている。そして、カムギヤ２７はその欠歯部２９ａが駆動ギヤ２６の小ギヤ２６ｂと対応しており、従って、モータ１６が駆動されても、カムギヤ２７が回転することはない。そして、ＦＲレバー５０は、トリガーレバー４２が上記した位置にあることから、捩じりコイルバネ５３による回動力によってそのＦＲギヤ６２がクラッチ部７の主ギヤ８のギヤ部１１と噛合した状態となっている。
【００５９】
従って、上記したように、モータ１６が駆動されて、主ギヤ８が反時計回り方向に回転されると、ＦＲギヤ６２が中継ギヤ６ａと噛合し、リール台４Ｒが巻き戻し方向に高速で回転され、主ギヤ８が時計回り方向に回転すると、ＦＲギヤ６２が中継ギヤ５ｂと噛合し、リール台４Ｆが早送り方向へ高速で回転されることになる。
【００６０】
ＮＲスライダー６３は上記した中立の状態あり、従って、中継レバー７７Ｎ、７７Ｒはその被押圧片７８Ｎ、７８Ｒが中立状態にあるＮＲスライダー６３の押圧ピン６７ａ、６７ｂに弾接しており、また、ヘッド移動スライダー８１Ｎ、８１Ｒは移動範囲の前端に位置しており、ヘッドベース６８も移動範囲の前端に位置している。
【００６１】
尚、ＡＭＳスライダー９５はその左端縁がヘッドベース６８のＡＭＳ位置規制片７４に右方から弾接した状態とされている。
【００６２】
次に、リバース再生モードについて説明する。
【００６３】
上記したストップモードから、プランジャー４９が励磁され、且つ、モータ１６が駆動されて駆動ギヤ２６が時計回り方向に回転される。
【００６４】
プランジャー４９が励磁されると、その作用片４９ａが突出され、トリガーレバー４２が上方から見て時計回り方向に回動され、その作用突起４６がカムギヤ２７のストップ面３１ａから外れてカムギヤ２７の中心方向へ移動する。これによって、反時計回り方向へカムギヤ２７は回転し得る状態となり、そして、捩じりコイルバネ４４によってトリガーレバー４２に与えられた回動力により上記作用突起４６がカムギヤ２７の初期付勢面３２ａを押圧し、これによって、カムギヤ２７が僅かに反時計回り方向へ回転されてそのギヤ部２８が駆動ギヤ２６の小ギヤ２６ｂと噛合し（図１０参照）、これによって、カムギヤ２７は次の欠歯部２９ｂが駆動ギヤ２６の小ギヤ２６ｂと対応するようになるまで反時計回り方向へ回転する。
【００６５】
また、トリガーレバー４２が時計回り方向へ回動することによって、その押圧突起４７がＦＲレバー５０の被押圧部５４をほぼ右前方へ向けて押圧することになり、これにより、ＦＲレバー５０は捩じりコイルバネ５３の弾発力に抗して時計回り方向へ回動して、それに支持されているＦＲギヤ６２がクラッチ部７の主ギヤ８のギヤ部１１から離間する（図１０参照）。従って、ＦＲギヤ６２はリール台３Ｆ、３Ｒの回転には関係が無くなる。そして、上記したようにカムギヤ２７が反時計回り方向へ回転されることにより、ＦＲレバー５０の被制御突起５６がカムギヤ２７の上面側の周壁３４の内面と係合した状態となり（図１１参照）、これにより、再び上記したストップモードになるまでの間ＦＲレバー５０は上記のように時計回り方向へ回動された状態に保持される。
【００６６】
一方、カムギヤ２７が次の上記した停止位置まで回転する間に、トリガーレバー４２は、その作用突起４６がカムギヤ２７の戻し斜面３３ａによってカムギヤ２７の周縁側へ押圧され、これによって、トリガーレバー４２は反時計回り方向へ回動されて、これと連結された作用片４９ａがプランジャー４９に吸着される。従って、カムギヤ２７がその欠歯部２９ｂが駆動ギヤ２６の小ギヤ２６ｂに対応した位置まで回転して来ると、トリガーレバー４２の作用突起４６がカムギヤ２７の次のストップ面３１ｂと係合し（図１１参照）、これにより、カムギヤ２７をその停止位置に保持することになる。
【００６７】
更に、カムギヤ２７が次の停止位置まで回転する間に、ＮＲスライダー６３が右方へ移動される。ストップモードからカムギヤ２７が反時計回り方向へ回転されて行くと、ＮＲスライダー６３の被制御突起６５がカムギヤ２７の引張面３６ａに当接し、それから該引張面３６ａによって右方へ引っ張られて行く（図１９参照）。
【００６８】
そして、欠歯部２９ｂの反時計回り方向側端が駆動ギヤ２６の小ギヤ２６ｂと対応したところまで来ると、上記被制御突起６５はカムギヤ２７の第１の作用面３６ｂに弾接した状態となる（図１１参照）。即ち、ＮＲスライダー６３が右方へ移動すると、その突当片６４ｂがテンションレバー１７の突当部１８ｂを右方へ引っ張り、これにより、テンションレバー１７が反時計回り方向へ回動されて引張コイルバネ２０が伸長され、その引張力がＮＲスライダー６３を左方へ戻すように作用する。この引張コイルバネ２０の引張力が被制御突起６５を介して上記第１の作用面３６ｂに作用し、カムギヤ２７は反時計回り方向への回動力を付勢され、そのストップ面３１ｂがトリガーレバー４２の作用突起４６と係合する。
【００６９】
尚、上記した早送りや巻戻を行うときは、大きな回転トルクが必要であるが、再生モードのときはそれ程大きな回転トルクは必要でない。従って、ＮＲスライダー６３が中立状態にあるときは、早送りや巻戻に必要なトルクを得られるような駆動ベルト２５の張りを出すのに必要な位置にテンションプーリを位置させておき、再生モードのときにはテンションレバー１７を反時計回り方向へ回動させて駆動ベルト２５の張りを緩くし、再生モードに必要なトルクのみが得られるようにし、これによって、消費電力を少なくするようにしてある。これは後述するノーマル再生モードにおいても同様である（図１１、図１３参照）。
【００７０】
ＮＲスライダー６３が右方へ移動すると、その押圧片６６ＲがＮＲ切換レバー１４の被押圧片１４Ｒをほぼ右後方へ向けて押圧し、これによって、ＮＲ切換レバー１４は反時計回り方向へ回動し、それに支持されたＮＲ切換ギヤ１５の小ギヤ１５ｂが中継ギヤ６ａと噛合し、リール台３Ｒがリバース方向へ回転されるようになる。
【００７１】
更に、ＮＲスライダー６３が右方へ移動することにより、その押圧ピン６７ａが中継レバー７７Ｒの被押圧片７８Ｒａを右方へ押圧し、これにより、中継レバー７７Ｒが時計回り方向へ回動される。またＮＲスライダー６３のもう一つの押圧ピン６７ｂはもう一つの中継レバー７７Ｎの被押圧片７８Ｎａから右方へ離れるので、該中継レバー７７Ｎは捩じりコイルバネ８７Ｎにより時計回り方向へ回動され、その係合片７９Ｎａはヘッドベース６８の係合片７６ｂに右方から弾接した状態となる。
【００７２】
中継レバー７７Ｒが時計回り方向へ回動すると、その押圧片８０Ｒａがヘッド移動スライダー８１Ｒの被押圧片８２Ｒａを後方へ向けて押圧し、これにより、ヘッド移動スライダー８１Ｒが後方へ移動する。ヘッド移動スライダー８１Ｒが後方へ移動すると、その押圧腕８３Ｒがヘッドベース６８の被押圧片７５ａを後方へ押圧し、これにより、ヘッドベース６８が引張コイルバネ７３の引張力に抗して後方へ移動される。そして、ヘッドベース６８が後方の磁気ヘッド７１が磁気テープに確実に接触する再生位置まで移動すると、その係合片７６ｂが中継レバー７７Ｎの係合片７９Ｎａより後側に行くので、該中継レバー７７Ｎは更に時計回り方向へ回動してその係合片７９Ｎａがヘッドベース６８の係合片７６ｂの前側に位置してこれと係合し、従って、ヘッドベース６８は前方への戻りを阻止される。尚、ヘッドベース６８の後方への移動によってそのＡＭＳ位置規制片７４もＡＭＳスライダー９５の左端縁から後方へ逃げるので、ＡＭＳスライダー９５はその被案内孔９６ａの右端が案内片９７ａに当接するまで左方へ移動し、これによって、その位置規制縁９８がヘッドベース６８のＡＭＳ位置規制片７４の僅かに前側に離間して位置する。
【００７３】
更に、ヘッド移動スライダー８１Ｒが後方へ移動することにより、そのピンチ押圧片８４Ｒａが捩じりコイルバネ９３Ｒの一方の腕９３Ｒａを後方へ押圧し、これによって、ピンチアーム９０Ｒが反時計回り方向へ回動され、それに支持されたピンチローラ９２Ｒがキャプスタン９４Ｒに図示しない磁気テープを介して圧接される。
【００７４】
以上により、図１１に示した状態のリバース再生モードとなる。
【００７５】
次に、ノーマル再生モードについて説明する。
【００７６】
ノーマル再生モードは、図１１に示す状態から、プランジャー４９が励磁され、モータ１６が駆動されることによって為される。
【００７７】
即ち、プランジャー４９が励磁されると、上記したように、トリガーレバー４２が時計回り方向へ回動してその作用突起４６がカムギヤ２７のストップ面３１ｂから中心方向へ外れて、カムギヤ２７に対するロックが解除される（図１２参照）。これにより、ＮＲスライダー６３の被制御突起６５を介して引張コイルバネ２０の引張力がカムギヤ２７の第１の作用面３６ｂに、次いで、第２の作用面３６ｃに作用して、これにより、カムギヤ２７は反時計回り方向へ回動されて、そのギヤ部２８が駆動ギヤ２６の小ギヤ２６ｂと噛合され、これにより、カムギヤ２７は次の欠歯部２９ｃが上記小ギヤ２６ｂと対応する次の停止位置まで回転されることになる。
【００７８】
カムギヤ２７が次の上記した停止位置まで回転する間に、トリガーレバー４２は、その作用突起４６がカムギヤ２７の戻し斜面３３ｂによってカムギヤ２７の周縁側へ押圧され、これによって、トリガーレバー４２は反時計回り方向へ回動されて、これと連結された作用片４９ａがプランジャー４９に吸着される。従って、カムギヤ２７がその欠歯部２９ｃが駆動ギヤ２６の小ギヤ２６ｂに対応した位置まで回転して来ると、トリガーレバー４２の作用突起４６がカムギヤ２７の次のストップ面３１ｃと係合し（図１３参照）、これにより、カムギヤ２７をその停止位置に保持することになる。
【００７９】
更に、カムギヤ２７が次の停止位置まで回転する間に、ＮＲスライダー６３が左方へ移動されて中立位置へ戻り、更に左方へ移動される。リバース再生モードからカムギヤ２７が反時計回り方向へ回転されて行くと、ＮＲスライダー６３の被制御突起６５がカムギヤ２７の押出面３９ａに当接し、それから該押出面３９ａによって左方へ押圧されて行く（図２０参照）。
【００８０】
そして、欠歯部２９ｃの反時計回り方向側端が駆動ギヤ２６の小ギヤ２６ｂと対応したところまで来ると、上記被制御突起６５はカムギヤ２７の作用面３９ｂに弾接した状態となる。即ち、ＮＲスライダー６３が左方へ移動すると、その突当片６４ａがテンションレバー１７の突当部１８ａを左方へ押圧し、これにより、テンションレバー１７が反時計回り方向へ回動されて引張コイルバネ２０が伸長され、その引張力がＮＲスライダー６３を右方へ戻すように作用する。この引張コイルバネ２０の引張力が被制御突起６５を介して上記作用面３９ｂに作用し、カムギヤ２７は反時計回り方向への回動力を付勢され、そのストップ面３１ｃがトリガーレバー４２の作用突起４６と係合する（図１３参照）。
【００８１】
ＮＲスライダー６３が左方へ移動すると、その押圧片６６ＦがＮＲ切換レバー１４の被押圧片１４Ｆをほぼ左後方へ向けて押圧し、これによって、ＮＲ切換レバー１４は時計回り方向へ回動し、それに支持されたＮＲ切換ギヤ１５の小ギヤ１５ｂが中継ギヤ５ａと噛合し、リール台３Ｆがノーマル方向へ回転されるようになる。
【００８２】
更に、ＮＲスライダー６３が左方へ移動することにより、その押圧ピン６７ｂが中継レバー７７Ｎの被押圧片７８Ｎａを左方へ押圧し、これにより、中継レバー７７Ｎが反時計回り方向へ回動される。またＮＲスライダー６３のもう一つの押圧ピン６７ａはもう一つの中継レバー７７Ｒの被押圧片７８Ｒａから左方へ離れるので、該中継レバー７７Ｒは捩じりコイルバネ８７Ｒにより反時計回り方向へ回動され、その係合片７９Ｒａはヘッドベース６８の係合片７６ａに左方から弾接した状態となる。
【００８３】
中継レバー７７Ｎが反時計回り方向へ回動すると、その押圧片８０Ｎａがヘッド移動スライダー８１Ｎの被押圧片８２Ｎａを後方へ向けて押圧し、これにより、ヘッド移動スライダー８１Ｎが後方へ移動する。ヘッド移動スライダー８１Ｎが後方へ移動すると、その押圧腕８３Ｎがヘッドベース６８の被押圧片７５ｂを後方へ押圧し、これにより、ヘッドベース６８が引張コイルバネ７３の引張力に抗して後方へ移動される。そして、ヘッドベース６８が後方の磁気ヘッド７１が磁気テープに確実に接触する再生位置まで移動すると、その係合片７６ａが中継レバー７７Ｒの係合片７９Ｒａより後側に行くので、該中継レバー７７Ｒは更に反時計回り方向へ回動してその係合片７９Ｒａがヘッドベース６８の係合片７６ａの前側に位置してこれと係合し、従って、ヘッドベース６８は前方への戻りを阻止される。尚、ＡＭＳスライダー９５はその移動範囲の左端まで移動された状態に保持されており、従って、その位置規制縁９８はヘッドベース６８のＡＭＳ位置規制片７４の僅かに前側に位置した状態に保持されている。
【００８４】
更に、ヘッド移動スライダー８１Ｎが後方へ移動することにより、そのピンチ押圧片８４Ｎａが捩じりコイルバネ９３Ｎの一方の腕９３Ｎａを後方へ押圧し、これによって、ピンチアーム９０Ｎが時計回り方向へ回動され、それに支持されたピンチローラ９２Ｎがキャプスタン９４Ｎに図示しない磁気テープを介して圧接される。尚、左側のヘッド移動スライダー８１Ｒは中継レバー７７Ｒの時計回り方向への回動により前方へ戻されるので、ピンチアーム９０Ｒは時計回り方向へ回動されそのピンチローラ９２Ｒがキャプスタン９４Ｒから離間される。
【００８５】
以上により、図１３に示した状態のノーマル再生モードとなる。
【００８６】
次にＡＭＳモードについて説明する。
【００８７】
上記ノーマル再生モードから、プランジャー４９が励磁され、モータ１６が駆動されるとＡＭＳモードが形成される。
【００８８】
即ち、プランジャー４９が励磁されると、上記したように、トリガーレバー４２が時計回り方向へ回動され、その作用突起４６がカムギヤ２７のストップ面３１ｃから中心側へ逃げる（図１４参照）。そこで、ＮＲスライダー６３の被制御突起６５を介して作用面３９ｂに掛かっている引張コイルバネ２０の弾発力によりカムギヤ２７が反時計回り方向へ回転しそのギヤ部２８が駆動ギヤ２６の小ギヤ２６ｂと噛合し、これにより、カムギヤ２７はそのストップ面３１ａがトリガーレバー４２の作用突起４６に当接するまで反時計回り方向へ回転する。尚、この間に、トリガーレバー４２の作用突起４６がカムギヤ２７の戻し斜面３３ｃによってカムギヤ２７の周縁寄りへ移動され、トリガーレバー４２は元の姿勢に戻される。
【００８９】
そして、カムギヤ２７がそのギヤ部２８が駆動ギヤ２６の小ギヤ２６ｂと噛合して回転しはじめると、ＮＲスライダー６３は、その被制御突起６５を押圧したり又は引っ張ったりするものが無くなるので、突当片６４ａを介して受けている引張コイルバネ２０の弾発力によって、右方へ移動され、そして、中立位置に来ると、突当片６４ａ、６４ｂにテンションレバー１７の突当部１８ａ、１８ｂを介して受ける引張コイルバネ２０の弾発力がバランスされ、該中立位置に保持される（図１５参照）。
【００９０】
ＮＲスライダー６３が中立位置に戻ることによって、中継レバー７７Ｎ、７７Ｒは中立位置に戻り、ヘッド移動スライダー８１Ｎ、８１Ｒは移動範囲の前端に戻される。これにより、ピンチアーム９０Ｎは反時計回り方向へ回動してそれに支持されているピンチローラ９２Ｎがキャプスタン９４Ｎから離間し、また、ヘッドベース６８は、その係合片７６ａと中継レバー７７Ｒの係合片７９Ｒａとの係合が解かれ、引張コイルバネ７３の引張力により前方へ移動される。しかしながら、ヘッドベース６８のＡＭＳ位置規制片７４の前側に僅かに離間してＡＭＳスライダー９５の位置規制縁９８が位置しているので、僅かに前方へ移動したところで、該ＡＭＳ位置規制片７４と位置規制縁９８とが係合し、そこで、ヘッドベース６８の前方への移動が停止する。これが、図１５に示すＡＭＳモードであり、この状態で、磁気ヘッド７１は図示しない磁気テープと軽接触したＡＭＳ位置に来る。
【００９１】
また、ＦＲレバー５０は、その被制御突起５６がカムギヤ２７の周壁３４の切欠部３４ａに対応した位置に来るため、捩じりコイルバネ５３によって与えられた力により反時計回り方向へ回動され、それに支持されているＦＲギヤ６２がクラッチ部７の主ギヤ８のギヤ部１１と噛合される。従って、主ギヤ８が反時計回り方向へ回転すると、ＦＲギヤ６２が中継ギヤ６ａと噛合され、リール台３Ｒがリバース方向へ高速で回転され、また、主ギヤ８が時計回り方向へ回転すると、ＦＲギヤ６２が中継ギヤ５ｂと噛合され、リール台３Ｆがノーマル方向へ高速で回転される。
【００９２】
次に、上記した、すべての部材の位置を初期位置に戻し、テープカセットの装置からの取出を可能にするイジェクトモードを形成するための機構について説明する。
【００９３】
メカシャーシ２の下面の右端部中央にイジェクトレバー１０１が左右方向に移動自在に支持されている。イジェクトレバー１０１はメカシャーシ２の右縁から右方へ突出した操作部１０２を有し、また、ストッパ片１０３ａ、バネ掛け片１０４及びバネ支持片１０５がそれぞれ垂設され、また、上記ストッパ片１０３ａの左方に位置したストッパ縁１０３ｂが設けられている。また、イジェクトレバー１０１には押圧片１０６が形成されている。そして、上記ストッパ片１０３ａは上記カムギヤ２７の上面側の周壁３４と突部３５ａ、３５ｂ、３５ｃとの間に位置されている。また、バネ支持片１０５には上記捩じりコイルバネ１００のコイル部１００ｃが外嵌されて支持され、そして、該捩じりコイルバネ１００の他方の腕１００ｂがイジェクトレバー１０１のバネ掛け片１０４に左方から弾接され、これによって、イジェクトレバー１０１に右方へ向けての移動力が付勢されている。
【００９４】
操作力調整レバー１０７の右端部がイジェクトレバー１０１の後端部に回動自在に支持されている。該操作力調整レバー１０７の左端部には連結片１０８が左方へ向けて突設され、該連結片１０８の前方に離間して押圧腕１０９が左方へ向けて突設され、該押圧腕１０９の左端に押圧片１０９ａが垂設されている。
【００９５】
そして、上記連結片１０８はＦＲレバー５０の挟持片５５と５５との間に挟持されており、従って、ＦＲレバー５０の回動に伴って操作力調整レバー１０７も回動されるようになっている。即ち、ＦＲレバー５０がそれに支持されたＦＲギヤ６２がクラッチ部７の主ギヤ８のギヤ部１１と噛合された状態にあるときは、操作力調整レバー１０７はその押圧片１０９ａがプランジャー４９の作用片４９ａが吸引された状態におけるトリガーレバー４２の被押圧部４８より後ろの位置にあり、その状態からＦＲレバー５０が時計回り方向へ回動されると、操作力調整レバー１０７は反時計回り方向へ回動され、その押圧片１０９ａがプランジャー４９の作用片４９ａが吸引された状態におけるトリガーバーレバー４２の被押圧部４８に右方から近接した状態となる。
【００９６】
メカシャーシ２の下面の上記ＡＭＳスライダー９５の右端部とイジェクトレバー１０１との間の位置にイジェクト中継レバー１１０が回動自在に支持されている。該イジェクト中継レバー１１０の後端部には被押圧片１１１が垂設され、該被押圧片１１１はイジェクトレバー１０１の押圧片１０６に左方から当接している。また、イジェクト中継レバー１１０の右端部には押圧片１１２が形成されている。更に、イジェクト中継レバー１１０の前端部には連結ピン１１３が垂設され、該連結ピン１１３は上記ＡＭＳスライダー９５の連結部９６ｂ′内に位置されている。
【００９７】
メカシャーシ２の右側壁１１４に係止部材１１５が前後方向に移動自在に支持されている。該係止部材１１５はそれと右側壁との間に縮設された圧縮コイルバネ１１６によって前方へ向けての移動力を付勢されている。また、係止部材１１５の下端部には被押圧片１１７が突設され、該被押圧片１１７は上記イジェクト中継レバー１１０の押圧片１１２に後方から弾接している。
【００９８】
更に、係止部材１１５の上端部には前方に開口した係合切欠１１８が形成されている。そして、係止部材１１５の上縁の前端部には前下がりに傾斜した傾斜縁１１９が形成されている。
【００９９】
テーププレーヤー１の上面に開口した筐体１２０内に上記メカシャーシ２が配置され、また、筐体１２０にはその上面開口を開閉する蓋体１２１が設けられている。蓋体１２１はその左端部が筐体１２０の左端部に回動自在に支持されている。また、蓋体１２１の右端部内面には係合部材１２２が突設されており、蓋体１２１を閉じると、係合部材１２２が上記係止部材１１５の傾斜縁１１９を押圧し、これによって、係止部材１１５は後方へ移動し、係合部材１２２が係止部材１１５の係合切欠１１８の開口に対応したところで、圧縮コイルバネ１１６の伸長力によって係止部材１１５が前方へ戻り、その係合切欠１１８に蓋体１２１の係合部材１２２が係合し、これによって、蓋体１２１が筐体１２０の開口を閉じた閉塞位置にロックされる。
【０１００】
次にイジェクト動作について説明する。
【０１０１】
先ず、ストップモード又はＡＭＳモードからのイジェクト動作について説明する。
【０１０２】
図９に示すストップモードからイジェクトレバー１０１を左方へ押し込む。すると、イジェクトレバー１０１の押圧片１０６がイジェクト中継レバー１１０の被押圧片１１１を左方へ押圧するので、イジェクト中継レバー１１０は上方から見て反時計回り方向へ回動し、その押圧片１１２はほぼ後方へ移動する（図１６参照）。従って、該押圧片１１２によって係止部材１１５の被押圧片１１７が後方へ押圧され、係止部材１１５は圧縮コイルバネ１１６によって付勢された移動力に抗して後方へ移動され、その係合切欠１１８が蓋体１２１の係合部材１２２から後方へ逃げ、これによって、蓋体１２１の閉塞位置へのロックが解除される。
【０１０３】
イジェクトレバー１０１を左方へ押し込んでいた力を除けば、イジェクトレバー１０１は捩じりコイルバネ１００によって元の位置に戻り、これに伴って、イジェクト中継レバー１１０及び係止部材１１５も元の位置に戻る。
【０１０４】
ＡＭＳモードからのイジェクト動作も、ストップモードからのイジェクト動作と殆ど同じであり、ただ、イジェクト中継レバー１１０が反時計回り方向に回動されることによってその連結ピン１１３がＡＭＳスライダー９５の連結部９６ｂ′の右縁を右方へ押圧し、これによって、ＡＭＳスライダー９５が右方へ移動してその位置規制縁９８がヘッドベース６８のＡＭＳ位置規制片７４から右方へ逃げるので、ヘッドベース６８がその移動範囲の前端へと移動する。
【０１０５】
次にリバース再生モードからのイジェクト動作について説明する。
【０１０６】
図１１に示すリバース再生モードからイジェクトレバー１０１を左方へ押し込むと、操作力調整レバー１０７も左方へ移動し、その押圧片１０９ａがトリガーレバー４２の被押圧部４８を左方へ押圧し、これによって、トリガーレバー４２が時計回り方向へ回動され、その作用突起４６がカムギヤ２７のストップ面３１ｂから中心側へ外れ、カムギヤ２７に対するロックが解除される。すると、引張コイルバネ２０の引張力が作用しているＮＲスライダー６３の被制御突起６５がカムギヤ２７の第１の作用面３６ｂ、３６ｃを次々と押圧し、カムギヤ２７を反時計回り方向へ回転させながらＮＲスライダー６３が中立位置へ戻る（図１７参照）。
【０１０７】
尚、この時にカムギヤ２７が反時計回り方向へ回転しすぎてそのギヤ部２８が駆動ギヤ２６の小ギヤ２６ｂと噛合してしまうことがないように、左方へ押し込まれたイジェクトレバー１０１のストッパ片１０３ａがカムギヤ２７の突部３５ｃの反時計回り方向側面に当接して、カムギヤ２７の必要以上の反時計回り方向への回転を阻止するようになっている（図１７参照）。
【０１０８】
ＮＲスライダー６３が中立位置へ戻ることによって、中継レバー７７Ｎ、７７Ｒ、ヘッド移動スライダー８１Ｎ、８１Ｒが中立状態に戻り、ヘッドベース６８の再生位置へのロックが解除される。
【０１０９】
また、これと同時に、イジェクト中継レバー１１０が反時計回り方向へ回動されるので、その連結ピン１１３がほぼ右方へ移動してＡＭＳスライダー９５の連結部９６ｂ′の右縁を右方へ押圧し、これによって、ＡＭＳスライダー９５が右方へ移動して、その位置規制縁９８がヘッドベース６８のＡＭＳ位置規制片７４の前側から右方へ逃げ、従って、ヘッドベース６８は引張コイルバネ７３の引張力によって移動範囲の前端に戻される。尚、これと同時に、係止部材１１５が後方へ移動されて蓋体１２１に対するロックを解除することは上記した通りである。
【０１１０】
尚、このリバース再生モードからのイジェクト動作にあっては、上記ストップモードからのイジェクト動作と比較して、トリガーレバー４２を時計回り方向へ回動させる動作が加わる。このため、イジェクトレバー１０１の左方への押し込みには、ストップモードからのイジェクト動作のとき以上の力を要することになる。即ち、操作感が重くなっている。このように、再生状態からのイジェクト操作を行うときの操作感を重くして誤操作の防止を図っている。
【０１１１】
ノーマル再生モードからのイジェクト動作について説明する。
【０１１２】
ノーマル再生モード（図１３）から、イジェクトレバー１０１を左方へ押し込むと、上記したリバース再生モードからのイジェクト動作の時と同様に、トリガーレバー４２が時計回り方向へ回動されてその作用突起４６がカムギヤ２７のストップ面３１ｃから中心側へ外れ、カムギヤ２７に対するロックが解除される。すると、引張コイルバネ２０の引張力が作用しているＮＲスライダー６３の被制御突起６５がカムギヤ２７の作用面３９ｂを押圧し、次いで突部３５ｂの時計回り方向側面３９ｃの外周寄りの部分を押圧し、カムギヤ２７を反時計回り方向へ回転させながらＮＲスライダー６３が中立位置へ戻る（図１８参照）。
【０１１３】
尚、この場合も、カムギヤ２７が反時計回り方向へ回転しすぎてそのギヤ部２８が駆動ギヤ２６の小ギヤ２６ｂと噛合してしまうことがないように、左方へ押し込まれたイジェクトレバー１０１のストッパ片１０３ａがカムギヤ２７の突部３５ａの外周面に形成された許容部３８の時計回り方向側面に当接して、カムギヤ２７の必要以上の反時計回り方向への回転を阻止するようになっている（図１８参照）。
【０１１４】
ＮＲスライダー６３が中立位置へ戻ることによって、中継レバー７７Ｎ、７７Ｒ、ヘッド移動スライダー８１Ｎ、８１Ｒが中立状態に戻り、ヘッドベース６８の再生位置へのロックが解除される。
【０１１５】
また、これと同時に、イジェクト中継レバー１１０が反時計回り方向へ回動されるので、その連結ピン１１３がほぼ右方へ移動してＡＭＳスライダー９５の連結部９６ｂ′の右縁を右方へ押圧し、これによって、ＡＭＳスライダー９５が右方へ移動して、その位置規制縁９８がヘッドベース６８のＡＭＳ位置規制片７４の前側から右方へ逃げ、従って、ヘッドベース６８は引張コイルバネ７３の引張力によって移動範囲の前端に戻される。尚、これと同時に、係止部材１１５が後方へ移動されて蓋体１２１に対するロックを解除することは上記した通りである。
【０１１６】
尚、このノーマル再生モードからのイジェクト動作にあっても、トリガーレバー４２を時計回り方向へ回動させる動作が加わるため、イジェクトレバー１０１の左方への押し込みには、ストップモードからのイジェクト動作のとき以上の力を要することになり、操作感が重くなっており、再生状態からイジェクト操作を行うときの誤操作の防止を図っている。
【０１１７】
イジェクト動作は以上に述べたように、イジェクトレバー１０１を左方へ押し込むことによって為され、特に、再生モード中に電池切れ等により電源が遮断されてしまった場合でも、電池を入れ替えなくとも、イジェクトレバー１０１を左方へ押し込むことによってテープカセットの取出が可能となる。
【０１１８】
ところが、各モードになる途中の状態のヘッドベース６８の移動中にイジェクト動作が為されると、それに搭載されている磁気ヘッド７１が損傷されたりすることがあるので、ヘッドベース６８の移動中はイジェクト動作が為されないように、即ち、イジェクトレバー１０１の左方への押込を阻止するようになっている。
【０１１９】
即ち、ストップモード又はＡＭＳモードからリバース再生モードが形成される場合は、カムギヤ２７が反時計回り方向へ回転し始めると直ぐに、イジェクトレバー１０１のストッパ縁１０３ｂの直ぐ左側にカムギヤ２７の阻止突起４０の阻止面４０ａが位置し、次の停止位置に至るまで該阻止突起４０の阻止面４０ａがストッパ縁１０３ｂの直ぐ左側に位置している（図１９参照）。従って、イジェクトレバー１０１を左方に押し込もうとしても、ストッパ縁１０３ｂが阻止突起４０に衝合し、イジェクトレバー１０１を左方へ押し込むことができない。
【０１２０】
リバース再生モードからノーマル再生モードが形成される場合は、カムギヤ２７が反時計回り方向へ回転を始めると直ぐに、イジェクトレバー１０１のストッパ片１０３ａの直ぐ左に突部３５ｃの阻止面４１が位置し（図２０参照）、次いで、突部３５ａの阻止面３７が位置して次の停止位置に至るまでイジェクトレバー１０１の左方への押込を阻止する。
【０１２１】
【発明の効果】
以上に記載したところから明らかなように、本発明テープカセット記録及び／又は再生装置は、記録媒体テープを一方の方向に走行させる状態を形成する一の位置と他方の方向に走行させる状態を形成する他の位置とこれら２つの位置の中間の中立位置との間を移動するＮＲスライダーと、上記ＮＲスライダーの一の位置又は他の位置への移動によって記録及び／又は再生用のヘッドの記録及び／又は再生位置への移動と該位置へのロックを行う一対のヘッド移動及びロック手段とを備え、上記ＮＲスライダーの一の位置への移動により一方のヘッド移動及びロック手段がヘッドを記録及び／又は再生位置へと移動させ、他方のヘッド移動及びロック手段がヘッドを記録及び／又は再生位置にロックし、上記ＮＲスライダーの他の位置への移動により他方のヘッド移動及びロック手段がヘッドを記録及び／又は再生位置へと移動させ、一方のヘッド移動及びロック手段がヘッドを記録及び／又は再生位置にロックし、上記ＮＲスライダーが中立位置に移動することにより上記ヘッド移動及びロック手段がヘッドの記録及び／又は再生位置へのロックを解除することを特徴とする。
【０１２２】
従って、本発明テープカセット記録及び／又は再生装置にあっては、記録媒体テープの走行方向に応じて、一対のヘッド移動及びロック手段のそれぞれが一方がヘッドを移動させるときは他方がヘッドをロックし、他方がヘッドを移動させるときは一方がヘッドをロックする、というように、交互に双方向の動作を行うので、ヘッドの移動とロックを確実に行うことができる。また、ＮＲスライダーが中立位置に移動することによりヘッド移動及びロック手段がヘッドの記録及び／又は再生位置へのロックを解除するようにしたので、中立状態を容易に作り出すことができる。
【０１２４】
更に、請求項２に記載した発明にあっては、ヘッド移動及びロック手段が、ＮＲスライダーの一の位置又は他の位置への移動により回動する中継レバーと、該中継レバーの一の方向への回動により移動されてヘッドを記録及び／又は再生位置へと移動させるヘッド移動スライダーとから成るので、ヘッド移動及びロック手段に複雑な動作をさせること無しに、それぞれの走行モードにおいてヘッドの記録及び／又は再生位置への移動と該位置へのロックを為すことができる。
【０１２５】
尚、上記した実施例に示した各部の具体的形状及び構造は、何れも本発明を実施するに際しての具体化のほんの一例を示したものにすぎず、これらによって本発明の技術的範囲が限定的に解釈されることがあってはならないものである。
【図面の簡単な説明】
【図１】添付図面は本発明テープカセット記録及び／又は再生装置をテーププレーヤーに適用した実施の一例を示すものであり、本図はテーププレーヤーの外観を示す斜視図である。
【図２】テーププレーヤーの外観を蓋体を開いた状態で示す斜視図である。
【図３】機構部の分解斜視図である。
【図４】機構部の平面図である。
【図５】機構部の底面図である。
【図６】図５のＶＩ−ＶＩ線に沿う拡大断面図である。
【図７】カムギヤの拡大平面図である。
【図８】カムギヤの底面を上方から見た状態で示す拡大図である。
【図９】図１０乃至図１５と共に各モードの形成を主要要素を平面で見、且つ、一部を省略した状態で示すものであり、本図はストップモードを示すものである。
【図１０】ストップモードからプランジャーが励磁された直後の状態を示すものである。
【図１１】リバース再生モードを示すものである。
【図１２】リバース再生モードからプランジャーが励磁された直後の状態を示すものである。
【図１３】ノーマル再生モードを示すものである。
【図１４】ノーマル再生モードからプランジャーが励磁された直後の状態を示すものである。
【図１５】ＡＭＳモードを示すものである。
【図１６】図１７及び図１８と共にイジェクト動作を主要要素を平面で見、且つ、一部を省略した状態で示すものであり、本図はストップモードからイジェクトレバーをイジェクト操作した状態を示すものである。
【図１７】リバース再生モードからイジェクトレバーをイジェクト操作した状態を示すものである。
【図１８】ノーマル再生モードからイジェクトレバーをイジェクト操作した状態を示すものである。
【図１９】ストップモードからリバース再生モードが形成される途中の状態を主要要素を平面で見、且つ、一部を省略した状態で示すものである。
【図２０】リバース再生モードからノーマル再生モードが形成される途中の状態を主要要素を平面で見、且つ、一部を省略した状態で示すものである。
【符号の説明】
１…テーププレーヤー（テープカセット記録及び／又は再生装置）、６３…ＮＲスライダー、７１…ヘッド、７７Ｎ、７７Ｒ、８１Ｎ、８１Ｒ…ヘッド移動及びロック手段、７７Ｎ、７７Ｒ…中継レバー、８１Ｎ、８１Ｒ…ヘッド移動スライダー
【図１】
0003610700.tif 000002
【図２】
0003610700.tif 000003
【図３】
0003610700.tif 000004
【図４】
0003610700.tif 000005
【図５】
0003610700.tif 000006
【図６】
0003610700.tif 000007
【図７】
0003610700.tif 000008
【図８】
0003610700.tif 000009
【図９】
0003610700.tif 000010
【図１０】
0003610700.tif 000011
【図１１】
0003610700.tif 000012
【図１２】
0003610700.tif 000013
【図１３】
0003610700.tif 000014
【図１４】
0003610700.tif 000015
【図１５】
0003610700.tif 000016
【図１６】
0003610700.tif 000017
【図１７】
0003610700.tif 000018
【図１８】
0003610700.tif 000019
【図１９】
0003610700.tif 000020
【図２０】
0003610700.tif 000021